【手続補正書】
【提出日】平成15年10月9日(2003.10.9)
【手続補正１】
【補正対象書類名】明細書
【補正対象項目名】特許請求の範囲
【補正方法】変更
【補正の内容】
【特許請求の範囲】
【請求項１】
第１のセル内の通信制御を行う無線通信装置であって、
第２のセル内の通信制御を行う第１の無線通信装置から送られた第１の同期情報を受信する受信手段と、
前記受信手段により受信した前記第１の同期情報に基づいて、前記第１の無線通信装置と同期する同期手段と、
前記同期手段により前記第１の無線通信装置と同期して、前記第２の無線通信装置に第２の同期情報を送信する送信手段とを備えることを特徴とする無線通信装置。
【請求項２】
前記無線通信装置は、前記第２の無線通信装置の設置よりも後に設置された制御局であることを特徴とする請求項１に記載の無線通信装置。
【請求項３】
前記無線通信装置は、周波数ホッピング方式を用いて通信を行うことを特徴とする請求項１に記載の無線通信装置。
【請求項４】
前記同期手段は、前記受信手段で受信した前記第１の同期情報に基づいて、前記第１の無線通信装置が周波数を切替えるタイミングと同期することを特徴とする請求項１に記載の無線通信装置。
【請求項５】
前記送信手段は、前記受信手段で受信を行うためのホッピングパターンと異なるホッピングパターンで送信を行うことを特徴とする請求項１に記載の無線通信装置。
【請求項６】
同期処理を実行する主制御装置として機能するか、他の制御装置からの同期情報に同期する従属制御装置として機能するかを判別する判別手段と、
前記判別手段により判別に応じて、前記他の制御装置からの前記同期情報とは独立して同期情報を送信、もしくは、前記他の制御装置からの前記同期情報に同期して同期情報を送信する送信手段とを備えることを特徴とする無線通信装置。
【請求項７】
前記他の制御装置は、前記無線通信装置とは異なるシステムの通信制御を行う制御装置であることを特徴とする請求項６に記載の無線通信装置。
【請求項８】
前記判別手段は、前記他の制御装置からの同期情報が受信されているか否かに基づいて、前記判別を行うことを特徴とする請求項６に記載の無線通信装置。
【請求項９】
前記同期情報は、周波数ホッピング通信における周波数の切替タイミングの同期に用いられることを特徴とする請求項６に記載の無線通信装置。
【請求項１０】
前記無線通信装置は、前記他の制御装置が用いる第１のホッピングパターンと、前記第１のホッピングパターンとは異なる第２のホッピングパターンを用いて通信することを特徴とする請求項６に記載の無線通信装置。
【請求項１１】
第１のネットワーク及び第２のネットワークの通信装置と周波数ホッピング通信する通信手段と、
前記第１のネットワークの通信装置から周波数ホッピング通信により送信された情報に基づいて、前記第１のネットワークでの周波数切替と、前記第２のネットワークでの周波数切替を同期させる同期手段とを備えることを特徴とする無線通信装置。
【請求項１２】
第１のセル内の無線通信装置の通信制御を行う第１の制御装置と、前記第１の制御装置による通信制御に基づいて無線通信を行う無線通信装置を有する無線通信システムであって、
前記第１の制御装置は、
前記第１のセルとは異なる第２のセルの通信制御を行う第２の制御装置から送信された同期情報を受信する第１の受信手段と、
前記第１の受信手段により受信した前記同期情報に基づいて、前記第２の制御装置からの信号に同期する同期手段と、
前記同期手段により前記第２の制御装置からの信号に同期して、前記無線通信装置に同期情報を送信する送信手段とを備え、
前記無線通信装置は、
前記送信手段により送信された同期情報を受信する第２の受信手段と、
前記第２の受信手段により受信した同期情報に基づいて、前記第１の制御装置からの信号に同期して通信する通信手段とを備えることを特徴とする無線通信システム。
【請求項１３】
第１のセル内の通信制御を行う無線通信装置の制御方法であって、
第２のセル内の通信制御を行う第１の無線通信装置から送られた第１の同期情報を受信する受信工程と、
前記受信工程において受信した前記第１の同期情報に基づいて、前記第１の無線通信装置と同期する同期工程と、
前記第１の無線通信装置と同期して、前記第２の無線通信装置に第２の同期情報を送信する送信工程とを備えることを特徴とする無線通信装置の制御方法。
【請求項１４】
無線通信装置の制御方法であって、
同期処理を実行する主制御装置として機能するか、他の制御装置からの同期情報に同期する従属制御装置として機能するかを判別する判別工程と、
前記判別工程における判別に応じて、前記他の制御装置からの前記同期情報とは独立して同期情報を送信、もしくは、前記他の制御装置からの前記同期情報に同期して同期情報を送信する送信工程とを備えることを特徴とする無線通信装置の制御方法。
【請求項１５】
無線通信装置の制御方法であって、
第１のネットワーク及び第２のネットワークの通信装置と周波数ホッピング通信する通信工程と、
前記第１のネットワークの通信装置から周波数ホッピング通信により送信された情報に基づいて、前記第１のネットワークでの周波数切替と、前記第２のネットワークでの周波数切替を同期させる同期工程とを備えることを特徴とする無線通信装置の制御方法。
【請求項１６】
第１のセル内の無線通信装置の通信制御を行う第１の制御装置と、前記第１の制御装置による通信制御に基づいて無線通信を行う無線通信装置を有する無線通信システムの制御方法であって、
前記第１の制御装置は、
前記第１のセルとは異なる第２のセルの通信制御を行う第２の制御装置から送信された同期情報を受信する第１の受信工程と、
前記第１の受信工程において受信した前記同期情報に基づいて、前記第２の制御装置からの信号に同期する同期工程と、
前記同期工程により前記第２の制御装置からの信号に同期して、前記無線通信装置に同期情報を送信する送信工程とを備え、
前記無線通信装置は、
前記送信手段により送信された同期情報を受信する第２の受信工程と、
前記第２の受信工程において受信した同期情報に基づいて、前記第１の制御装置からの信号に同期して通信する通信工程とを備えることを特徴とする無線通信システムの制御方法。
【手続補正２】
【補正対象書類名】明細書
【補正対象項目名】０００１
【補正方法】変更
【補正の内容】
【０００１】
【発明の属する技術分野】
本発明は無線通信システムに関し、特に隣接するセル間での同期に関する。


【手続補正３】
【補正対象書類名】明細書
【補正対象項目名】０００８
【補正方法】変更
【補正の内容】
【０００８】
【課題を解決するための手段】
上記の目的を達成するための本発明の一態様による無線通信装置は以下の構成を備える。すなわち、
第１のセル内の通信制御を行う無線通信装置であって、
第２のセル内の通信制御を行う第１の無線通信装置から送られた第１の同期情報を受信する受信手段と、
前記受信手段により受信した前記第１の同期情報に基づいて、前記第１の無線通信装置と同期する同期手段と、
前記同期手段により前記第１の無線通信装置と同期して、前記第２の無線通信装置に第２の同期情報を送信する送信手段とを備える。
また、上記の目的を達成するための本発明の他の態様によれば、上記無線通信装置の制御方法が提供される。


【手続補正４】
【補正対象書類名】明細書
【補正対象項目名】０００９
【補正方法】変更
【補正の内容】
【０００９】
また、上記の目的を達成するための本発明の他の態様による無線通信装置は以下の構成を備える。すなわち、
同期処理を実行する主制御装置として機能するか、他の制御装置からの同期情報に同期する従属制御装置として機能するかを判別する判別手段と、
前記判別手段により判別に応じて、前記他の制御装置からの前記同期情報とは独立して同期情報を送信、もしくは、前記他の制御装置からの前記同期情報に同期して同期情報を送信する送信手段とを備える。
また、上記の目的を達成するための本発明の他の態様によれば、上記無線通信装置の制御方法が提供される。


【手続補正５】
【補正対象書類名】明細書
【補正対象項目名】００１０
【補正方法】変更
【補正の内容】
【００１０】
また、上記の目的を達成するための本発明の他の態様による無線通信装置は以下の構成を備える。すなわち、
第１のネットワーク及び第２のネットワークの通信装置と周波数ホッピング通信する通信手段と、
前記第１のネットワークの通信装置から周波数ホッピング通信により送信された情報に基づいて、前記第１のネットワークでの周波数切替と、前記第２のネットワークでの周波数切替を同期させる同期手段とを備える。
また、上記の目的を達成するための本発明の他の態様によれば、上記無線通信装置の制御方法が提供される。


【手続補正６】
【補正対象書類名】明細書
【補正対象項目名】００１１
【補正方法】変更
【補正の内容】
【００１１】
また、上記の目的を達成するための本発明の他の態様による無線通信システムは以下の構成を備える。すなわち、
第１のセル内の無線通信装置の通信制御を行う第１の制御装置と、前記第１の制御装置による通信制御に基づいて無線通信を行う無線通信装置を有する無線通信システムであって、
前記第１の制御装置は、
前記第１のセルとは異なる第２のセルの通信制御を行う第２の制御装置から送信された同期情報を受信する第１の受信手段と、
前記第１の受信手段により受信した前記同期情報に基づいて、前記第２の制御装置からの信号に同期する同期手段と、
前記同期手段により前記第２の制御装置からの信号に同期して、前記無線通信装置に同期情報を送信する送信手段とを備え、
前記無線通信装置は、
前記送信手段により送信された同期情報を受信する第２の受信手段と、
前記第２の受信手段により受信した同期情報に基づいて、前記第１の制御装置からの信号に同期して通信する通信手段とを備える。
また、上記の目的を達成するための本発明の他の態様によれば、上記無線通信システムの制御方法が提供される。